(57)【要約】【課題】優れた作業性を実現しつつ、コンクリート基礎を高い精度で施工可能な段積み用セパレータを提供する。【解決手段】本発明の段積み用セパレータ１は、上段用外側係止片５及び下段用外側係止片１３に弾性係止手段が設けられている。上段用外側係止片５に設けられた弾性係止手段は、上段用外側係止片５における上段用内側係止片１１側の先端域から他端に向かって略直角に突出する上段用突出片７と、上段用突出片７から上段用内側係止片１１に向かって突出しつつ本体片３に近づくに従って上段用内側係止片１１に向かって延びる上段用傾斜片９とからなる。下段用外側係止片１３に設けられた弾性係止手段も同様である。弾性係止手段は、型枠３０のフランジ３３によって弾性変形し、弾性復元力によってフランジ３３のリブ３７を係止する。【選択図】図１
2014101633.tif 000002
【特許請求の範囲】
【請求項１】
下段に位置し、型枠が互いに対向するように配置された下段型枠組と、上段に位置し、前記型枠が互いに対向するように配置された上段型枠組との間に設けられ、前記下段型枠組の間隔及び前記上段型枠組の間隔を保持する段積み用セパレータであって、
各前記型枠は、生コンクリートを堰き止める堰止面を形成する堰板部と、前記堰板部の一端に設けられ、前記堰止面と直交する方向に延びる被載置面を形成するフランジとを有し、
長手方向に延び、前記被載置面と当接される載置面を形成する本体片と、前記本体片の幅方向の一端で前記本体片から略直角に起立し、自己の内縁で前記上段型枠組の前記型枠における前記フランジの外縁を係止可能な上段用外側係止片と、前記一端で前記本体片から略直角に起立し、自己の外縁で前記上段型枠組の前記型枠における前記フランジの内縁を係止可能な上段用内側係止片と、前記本体片の前記幅方向の他端で前記本体片から略直角に垂下し、自己の内縁で前記下段型枠組の前記型枠における前記フランジの外縁を係止可能な下段用外側係止片と、前記他端で前記本体片から略直角に垂下し、自己の外縁で前記下段型枠組の前記型枠における前記フランジの内縁を係止可能な下段用内側係止片とを有する前記段積み用セパレータにおいて、
前記上段用外側係止片及び前記下段用外側係止片の少なくとも一方には、前記型枠の前記フランジによって弾性変形し、弾性復元力によって前記フランジの前記外縁を係止する弾性係止手段が設けられていることを特徴とする段積み用セパレータ。
【請求項２】
前記弾性係止手段は、前記上段用外側係止片における前記上段用内側係止片側の先端域から前記他端に向かって略直角に突出する上段用突出片と、前記上段用突出片から前記上段用内側係止片に向かって突出しつつ前記本体片に近づくに従って前記上段用内側係止片に向かって延びる上段用傾斜片とからなり、
前記本体片、前記上段用外側係止片、前記上段用内側係止片、前記下段用外側係止片、前記下段用内側係止片、前記上段用突出片及び前記上段用傾斜片は、鋼板を打ち抜きかつ屈曲することにより形成されている請求項１記載の段積み用セパレータ。
【請求項３】
前記弾性係止手段は、前記下段用外側係止片における前記下段用内側係止片側の先端域から前記一端に向かって略直角に突出する下段用突出片と、前記下段用突出片から前記下段用内側係止片に向かって突出しつつ前記本体片に近づくに従って前記下段用内側係止片に向かって延びる下段用傾斜片とからなり、
前記本体片、前記上段用外側係止片、前記上段用内側係止片、前記下段用外側係止片、前記下段用内側係止片、前記下段用突出片及び前記下段用傾斜片は、鋼板を打ち抜きかつ屈曲することにより形成されている請求項１又は２記載の段積み用セパレータ。
【発明の詳細な説明】
【技術分野】
【０００１】
本発明は段積み用セパレータに関する。
【背景技術】
【０００２】
特許文献１〜３に従来の段積み用セパレータが開示されている。これらの段積み用セパレータは、下段型枠組と上段型枠組との間に設けられる。下段型枠組は、下段に位置し、型枠が互いに対向するように配置されたものである。上段型枠組は、上段に位置し、型枠が互いに対向するように配置されたものである。そして、これらの段積み用セパレータは、下段型枠組の間隔及び上段型枠組の間隔を保持する。
【０００３】
型枠は、生コンクリートを堰き止める堰止面を形成する堰板部を有している。例えば、堰止面が矩形である鋼製の型枠は、その堰止面を上下に配置した場合、堰板部の下端、上端、右端及び左端にフランジを有している。堰板部の下端及び上端のフランジは、堰止面と直交する方向に延びる延出部と、延出部から堰止面と平行に延びるリブとからなることが一般的である。下端のフランジの延出部の底面及び上端のフランジの延出部の上面は被載置面とされる。
【０００４】
各段積み用セパレータは、本体片と、一対の上段用外側係止片と、上段用内側係止片と、一対の下段用外側係止片と、下段用内側係止片とを有している。
【０００５】
本体片は、長手方向に延び、被載置面と当接される載置面を表面及び裏面に形成している。
【０００６】
各上段用外側係止片は、本体片の幅方向の一端で本体片から略直角に起立している。各上段用外側係止片の内端で上段型枠組の型枠におけるフランジの外縁を係止可能になっている。上段用内側係止片は、同じく本体片の幅方向の一端で本体片から略直角に起立し、自己の外縁で上段型枠組の型枠におけるフランジの内縁を係止可能になっている。上段用内側係止片が本体片の左右で二つに分割され、両上段用内側係止片間に鉄筋を通すための凹部が設けられることもある。
【０００７】
各下段用外側係止片は、本体片の幅方向の他端で本体片から略直角に垂下している。各下段用外側係止片の内端で下段型枠組の型枠におけるフランジの外縁を係止可能になっている。下段用内側係止片は、同じく本体片の幅方向の他端で本体片から略直角に垂下し、自己の外縁で下段型枠組の型枠におけるフランジの内縁を係止可能になっている。下段用内側係止片が本体片の左右で二つに分割され、両下段用内側係止片間に鉄筋を通すための凹部が設けられることもある。
【０００８】
特許文献１に開示された段積み用セパレータでは、各上段用外側係止片及び各下段用外側係止片の内端が本体片に向かって直角に延びている。特許文献２、３に開示された段積み用セパレータでは、各上段用外側係止片及び各下段用外側係止片の内端の先端面は、本体片から離れるに従って長く延びている。
【０００９】
この段積み用セパレータは、住宅等のコンクリート基礎の施工時に用いられる。すなわち、まず、例えば砕石地盤上に複数の支持部材を載置し、型枠の下端を保持するためだけの複数のセパレータを各支持部材に支持させる。これにより、複数のセパレータが一定間隔をおいて砕石地盤の上方に配設される。この際、各セパレータの本体片は、施工しようとするコンクリート基礎の立ち上がり基礎の幅方向に沿うように設けられる。そして、各セパレータによって下段型枠組の型枠が連続的に保持される。
【００１０】
そして、下段型枠組上に複数の段積み用セパレータが装着される。この際、段積み用セパレータの下段用外側係止片の内縁で下段型枠組の型枠におけるフランジの外縁を係止する。特許文献２、３に開示された段積み用セパレータでは、各下段用外側係止片の内端の先端面が本体片から離れるに従って長く延びているため、フランジの外縁が外れ難くされている。また、段積み用セパレータの下段用内側係止片の外縁で下段型枠組の型枠におけるフランジの内縁を係止する。
【００１１】
次いで、各段積み用セパレータ上に上段型枠組が連続的に保持される。この際、段積み用セパレータの上段用外側係止片の内縁で上段型枠組の型枠におけるフランジの外縁を係止する。特許文献２、３に開示された段積み用セパレータでは、各上段用外側係止片の内端の先端面が本体片から離れるに従って長く延びているため、フランジの外縁が外れ難くされている。また、段積み用セパレータの上段用内側係止片の外縁で上段型枠組の型枠におけるフランジの内縁を係止する。
【００１２】
こうして、下段型枠組及び上段型枠組において、互いに対向する複数の型枠が連続的に設けられ、型枠内に例えば２段の立ち上がり空間が形成される。立ち上がり空間内に生コンクリートが充填され、さらに、その生コンクリートが固化することによってコンクリート基礎とされる。コンクリート基礎上に住宅等が建設されることとなる。
【先行技術文献】
【特許文献】
【００１３】
【特許文献１】特許第２７５２８０５号公報
【特許文献２】実開昭６１−６２１４７号公報
【特許文献３】実開昭６１−６２１４８号公報
【発明の概要】
【発明が解決しようとする課題】
【００１４】
しかし、上記従来の段積み用セパレータは、いずれも型枠のフランジの外端を係止する際に手間を要する。特に、特許文献２、３に開示された段積み用セパレータは、各上段用外側係止片及び各下段用外側係止片の内端の先端面が本体片から離れるに従って長く延びているため、この傾向が顕著である。
【００１５】
また、特許文献２、３に開示された段積み用セパレータはフランジの外縁が外れ難くされているものの、特許文献１に開示された段積み用セパレータは、生コンクリートを充填する際、気泡を排出するために行われるバイブレーションによってフランジの外縁が外れ易い。型枠のフランジの外端が外れてしまえば、充填する生コンクリートがその部分から漏れ、コンクリート基礎を精度よく施工することができない。
【００１６】
本発明は、上記従来の実情に鑑みてなされたものであって、優れた作業性を実現しつつ、コンクリート基礎を高い精度で施工可能な段積み用セパレータを提供することを解決すべき課題としている。
【課題を解決するための手段】
【００１７】
本発明の段積み用セパレータは、下段に位置し、型枠が互いに対向するように配置された下段型枠組と、上段に位置し、前記型枠が互いに対向するように配置された上段型枠組との間に設けられ、前記下段型枠組の間隔及び前記上段型枠組の間隔を保持する段積み用セパレータであって、
各前記型枠は、生コンクリートを堰き止める堰止面を形成する堰板部と、前記堰板部の一端に設けられ、前記堰止面と直交する方向に延びる被載置面を形成するフランジとを有し、
長手方向に延び、前記被載置面と当接される載置面を形成する本体片と、前記本体片の幅方向の一端で前記本体片から略直角に起立し、自己の内縁で前記上段型枠組の前記型枠における前記フランジの外縁を係止可能な上段用外側係止片と、前記一端で前記本体片から略直角に起立し、自己の外縁で前記上段型枠組の前記型枠における前記フランジの内縁を係止可能な上段用内側係止片と、前記本体片の前記幅方向の他端で前記本体片から略直角に垂下し、自己の内縁で前記下段型枠組の前記型枠における前記フランジの外縁を係止可能な下段用外側係止片と、前記他端で前記本体片から略直角に垂下し、自己の外縁で前記下段型枠組の前記型枠における前記フランジの内縁を係止可能な下段用内側係止片とを有する前記段積み用セパレータにおいて、
前記上段用外側係止片及び前記下段用外側係止片の少なくとも一方には、前記型枠の前記フランジによって弾性変形し、弾性復元力によって前記フランジの前記外縁を係止する弾性係止手段が設けられていることを特徴とする（請求項１）。
【００１８】
本発明の段積み用セパレータでは、上段用外側係止片に弾性係止手段が設けられている場合、上段用外側係止片と上段用内側係止片との間に型枠のフランジを挿入すれば、弾性係止手段がフランジによって弾性変形し、フランジの挿入を妨げない。そして、フランジの被載置面が本体片の載置面と当接すれば、弾性係止手段はその弾性復元力によってフランジの外縁を係止する。
【００１９】
また、この段積み用セパレータでは、下段用外側係止片に弾性係止手段が設けられている場合、下段用外側係止片と下段用内側係止片との間に型枠のフランジを挿入すれば、弾性係止手段がフランジによって弾性変形し、フランジの挿入を妨げない。そして、フランジの被載置面が本体片の載置面と当接すれば、弾性係止手段はその弾性復元力によってフランジの外縁を係止する。
【００２０】
このため、この段積み用セパレータは、型枠のフランジの外端を容易に係止することができる。
【００２１】
また、この段積み用セパレータでは、弾性係止手段がその弾性復元力によってフランジの外縁を係止するため、フランジの外縁が外れ難い。このため、充填する生コンクリートが漏れ難く、コンクリート基礎を精度よく施工することができる。
【００２２】
したがって、本発明の段積み用セパレータによれば、優れた作業性を実現しつつ、コンクリート基礎を高い精度で施工可能である。
【００２３】
型枠としては、鋼製のものであってもよく、木製や樹脂製のものであってもよい。
【００２４】
弾性係止手段は、上段用外側係止片における上段用内側係止片側の先端域から他端に向かって略直角に突出する上段用突出片と、上段用突出片から上段用内側係止片に向かって突出しつつ本体片に近づくに従って上段用内側係止片に向かって延びる上段用傾斜片とからなり得る。そして、本体片、上段用外側係止片、上段用内側係止片、下段用外側係止片、下段用内側係止片、上段用突出片及び上段用傾斜片は、鋼板を打ち抜きかつ屈曲することにより形成されていることが好ましい（請求項２）。
【００２５】
この場合、簡素な製造工程により、本発明の段積み用セパレータを容易に製造することができる。このため、製品コストの低廉化を実現できる。
【００２６】
上段用傾斜片は、上段用突出片から略直角に突出し、先端面が傾斜面や湾曲面に形成され得る。また、上段用傾斜片は、上段用突出片から湾曲しながら突出し、湾曲した面が傾斜面や湾曲面に形成され得る。
【００２７】
また、弾性係止手段は、下段用外側係止片における下段用内側係止片側の先端域から一端に向かって略直角に突出する下段用突出片と、下段用突出片から下段用内側係止片に向かって突出しつつ本体片に近づくに従って下段用内側係止片に向かって延びる下段用傾斜片とからなり得る。そして、本体片、上段用外側係止片、上段用内側係止片、下段用外側係止片、下段用内側係止片、下段用突出片及び下段用傾斜片は、鋼板を打ち抜きかつ屈曲することにより形成されていることが好ましい（請求項３）。
【００２８】
この場合も、簡素な製造工程により、本発明の段積み用セパレータを容易に製造することができる。このため、製品コストの低廉化を実現できる。
【００２９】
下段用傾斜片は、下段用突出片から略直角に突出し、先端面が傾斜面や湾曲面に形成され得る。また、下段用傾斜片は、下段用突出片から湾曲しながら突出し、湾曲した面が傾斜面や湾曲面に形成され得る。
【図面の簡単な説明】
【００３０】
【図１】実施例１の段積み用セパレータの斜視図である。
【図２】実施例１の段積み用セパレータの展開図である。
【図３】実施例１の段積み用セパレータの使用状態を示す断面図である。
【図４】実施例２の段積み用セパレータの斜視図である。
【図５】実施例２の段積み用セパレータの平面図である。
【図６】実施例２の段積み用セパレータの展開図である。
【発明を実施するための形態】
【００３１】
以下、本発明の段積み用セパレータを具体化した実施例１、２を図面に従って説明する。なお、以下の図は実際の段積み用セパレータの寸法及び比率を示してはいない。
【００３２】
（実施例１）
図１に示す実施例１の段積み用セパレータ（以下、単に「セパレータ」という。）１は、図３に示すように、住宅等のコンクリート基礎としての布基礎の施工時に用いられる。より詳細には、このセパレータ１は、下段型枠用組４０と上段型枠組５０との間に設けられ、下段型枠組４０の間隔及び上段型枠組５０の間隔を保持する。下段型枠組４０は、下段に位置し、型枠３０が互いに対向するように配置されている。上段型枠組５０は、上段に位置し、型枠３０が互いに対向するように配置されている。本実施例では、型枠３０は鋼製のものである。
【００３３】
型枠３０は、生コンクリートを堰き止める堰止面３１ａを形成する堰板部３１を有している。本実施例では、堰止面３１ａが矩形である。型枠３０は、堰止面３１ａが上下方向に延在するように配置した場合、堰板部３１の下端、上端、右端及び左端にフランジ３３を有している。下端及び上端のフランジ３３は、堰止面３１ａと直交する方向に延びる延出部３５と、延出部３５から堰止面３１ａと平行に延びるリブ３７とからなる。下端のフランジ３３の延出部３５の底面は、堰止面３１ａと直交する方向に延びる被載置面３３ａを形成している。リブ３７は、本発明の「フランジの外縁」の一例である。また、堰止部３１の下端部３１ｂは、本発明の「フランジの内縁」の一例である。
【００３４】
一方、図１に示すように、実施例のセパレータ１は、本体片３と、一対の上段用外側係止片５と、上段用突出片７と、上段用傾斜片９と、上段用内側係止片１１と、一対の下段用外側係止片１３と、下段用突出片１５と、下段用傾斜片１７と、下段用内側係止片１９とを有している。
【００３５】
本体片３は、長手方向に細長く延びる平板形状とされている。本体片３の平坦な表面及び裏面は、型枠３０の被載置面３３ａ（図３参照）と当接される載置面３ａ、３ｂとされている。本体片３には、図示しないくさびを打ち込むためのくさび穴３ｃ、３ｄが貫設されている。また、本体片３には、上段用内側係止片１１及び下段用内側係止片１９の外縁に整合する切取用凹部３ｇ、３ｈが凹設されている。
【００３６】
各上段用外側係止片５は、本体片３の幅方向の一端で本体片３から略直角に起立する平板形状とされている。上段用突出片７は、各上段用外側係止片５における上段用内側係止片１１側の１／２の先端域から他端に向かって略直角に突出している。
【００３７】
各上段用傾斜片９は、上段用突出片７から上段用内側係止片１１に向かって略直角に突出する平板形状とされている。上段用傾斜片９は本体片３に近づくに従って上段用内側係止片１１に向かって延びており、その先端面は本体片３に近づくに従って上段用突出片７から離れる平面状の傾斜面９ａとされている。図３に示すように、各上段用傾斜片９の下端と、上段用外側係止片５の内端とにより、上段型枠組５０の型枠３０におけるフランジ３３のリブ３７を係止可能になっている。上段用突出片７及び上段用傾斜片９が上段型枠組５０の型枠３０用の弾性係止手段である。
【００３８】
図１に示すように、上段用内側係止片１１は、同じく本体片３の幅方向の一端で本体片３から略直角に起立する平板形状とされている。上段用内側係止片１１は、図３に示すように、自己の外縁で上段型枠組５０の型枠３０における堰止部３１の下端部３１ｂを係止可能になっている。上段用内側係止片１１が本体片３の左右で二つに分割され、両上段用内側係止片間に鉄筋を通すための凹部が設けられてもよい。
【００３９】
各下段用外側係止片１３は、本体片３の幅方向の他端で本体片３から略直角に垂下する平板形状とされている。下段用突出片１５は、各下段用外側係止片１３における下段用内側係止片１９側の１／２の先端域から一端に向かって略直角に突出している。
【００４０】
下段用傾斜片１７は、下段用突出片１５から下段用内側係止片１９に向かって略直角に突出する平板形状とされている。下段用傾斜片１７も本体片３に近づくに従って下段用内側係止片１９に向かって延びており、その先端面は本体片３に近づくに従って下段用突出片１５から離れる傾斜面１７ａとされている。図３に示すように、各下段用傾斜片１７の上端と、下段用外側係止片１３の内端とにより、下段型枠組４０の型枠３０におけるフランジ３３のリブ３７を係止可能になっている。下段用突出片１５及び下段用傾斜片１７が下段型枠組４０の型枠３０用の弾性係止手段である。
【００４１】
図１に示すように、下段用内側係止片１９は、同じく本体片３の幅方向の他端で本体片３から略直角に垂下する平板形状とされている。下段用内側係止片１９は、図３に示すように、自己の外縁で下段型枠組４０の型枠３０における堰止部３１の下端部３１ｂを係止可能になっている。下段用内側係止片１９が本体片３の左右で二つに分割され、両下段用内側係止片間に鉄筋を通すための凹部が設けられてもよい。
【００４２】
このセパレータ１は、図２に示すように、鋼板を打ち抜いたワークＷに対し、破線部分を屈曲することにより形成されている。こうして得られるセパレータ１は表裏が逆でも使用できるようになっている。
【００４３】
このセパレータ１は、図３に示すように、住宅等のコンクリート基礎の施工時に用いられる。すなわち、まず、例えば砕石地盤上に図示しない複数の支持部材を載置し、下段型枠組４０の型枠３０の下端を保持するためだけの複数のセパレータ２を各支持部材に支持させる。これにより、複数のセパレータ２が一定間隔をおいて砕石地盤の上方に配設される。この際、各セパレータ２の本体片は、施工しようとするコンクリート基礎の立ち上がり基礎の幅方向に沿うように設けられる。そして、各セパレータ２によって下段型枠組４０の型枠３０が連続的に保持される。
【００４４】
そして、下段型枠組４０上に複数のセパレータ１が装着される。この際、セパレータ１を下段型枠組４０の上方から下降させれば、各型枠３０のフランジ３３が下段用傾斜片１７の傾斜面１７ａに案内されながら下段用突出片１５を下段用内側係止片１９から離れる方向に弾性変形し、フランジ３３の挿入を妨げない。そして、フランジ３３の被載置面３３ａが本体片３の裏面側の載置面３ｂと当接すれば、各下段用突出片１５はその弾性復元力によって元の位置に戻り、各下段用傾斜片１７の上端がフランジ３３のリブ３７を係止する。
【００４５】
このため、このセパレータ１は、型枠３０のフランジ３３のリブ３８を容易に係止することができる。また、セパレータ１の下段用内側係止片１９の外縁で下段型枠組４０の型枠３０における堰止部３１の下端部３１ｂを係止する。
【００４６】
次いで、各セパレータ１上に上段型枠組５０が連続的に保持される。この際、型枠３０をセパレータ１の上方から下降させれば、各型枠３０のフランジ３３が上段用傾斜片９の傾斜面９ａに案内されながら上段用突出片７を上段用内側係止片１１から離れる方向に弾性変形し、フランジ３３の挿入を妨げない。そして、フランジ３３の被載置面３３ａが本体片３の表面側の載置面３ａと当接すれば、各上段用突出片７はその弾性復元力によって元の位置に戻り、各上段用傾斜片９の下端がフランジ３３のリブ３７を係止する。
【００４７】
このため、このセパレータ１は、型枠３０のフランジ３３のリブ３８を容易に係止することができる。また、セパレータ１の上段用内側係止片１１の外縁で上段型枠組５０の型枠３０における堰止部３１の下端部３１ｂを係止する。
【００４８】
そして、上段型枠組５０の型枠３０の上端を保持するためだけの複数のセパレータ２を型枠３０に支持させる。
【００４９】
こうして、下段型枠組４０及び上段型枠組５０において、互いに対向する複数の型枠３０が連続的に設けられ、型枠３０内に２段の立ち上がり空間Ｃが形成される。立ち上がり空間Ｃ内に生コンクリートが充填され、さらに、その生コンクリートが固化することによってコンクリート基礎とされる。
【００５０】
この際、このセパレータ１では、各下段用突出片１５及び各上段用突出片５がその弾性復元力によってフランジ３３のリブ３７を係止するため、フランジ３３のリブ３７が外れ難い。このため、充填する生コンクリートが漏れ難く、コンクリート基礎を精度よく施工することができる。こうして、コンクリート基礎上に住宅等が建設されることとなる。
【００５１】
したがって、このセパレータ１によれば、優れた作業性を実現しつつ、コンクリート基礎を高い精度で施工可能である。
【００５２】
また、このセパレータ１は、鋼板を打ち抜いたワークＷを屈曲することにより形成されているため、簡素な製造工程により、容易に製造可能である。このため、このセパレータ１は製品コストの低廉化を実現できる。
【００５３】
（実施例２）
実施例２の段積み用セパレータ（以下、単に「セパレータ」という。）６１は、図４に示すように、本体片６３と、一対の上段用外側係止片６５と、上段用突出片６７と、上段用傾斜片６９と、一対の上段用内側係止片７１と、一対の下段用外側係止片７３と、下段用突出片７５と、下段用傾斜片７７と、一対の下段用内側係止片７９とを有している。
【００５４】
各上段用外側係止片６５は、本体片６３の幅方向の一端で本体片６３から略直角に起立する平板形状とされている。上段用突出片６７は、各上段用外側係止片６５における上段用内側係止片７１側の１／２の先端域から他端に向かって略直角に突出している。
【００５５】
各上段用傾斜片６９は、上段用突出片６７から上段用内側係止片７１に向かってほぼ１８０°湾曲しながら突出する半円筒形状とされている。上段用傾斜片６９の上段用内側係止片７１側の半円筒面は、図５に示すように、本体片６３に近づくに従って上段用内側係止片７１に向かって延びる傾斜面６９ａとされている。このため、傾斜面６９ａが型枠３０のフランジ３３を案内しやすくなっているとともに、くさび穴３ｃ、３ｄにくさびを打ち込みやすくなっている。上段用突出片６７及び上段用傾斜片６９が上段型枠組５０の型枠３０用の弾性係止手段である。
【００５６】
各上段用内側係止片７１は、同じく本体片６３の幅方向の一端で本体片６３から略直角に起立する平板形状とされている。上段用内側係止片７１は本体片６３の左右で二つ設けられている。両上段用内側係止片７１間には鉄筋を通すための凹部７１ａが設けられている。
【００５７】
各下段用外側係止片７３は、本体片６３の幅方向の他端で本体片６３から略直角に垂下する平板形状とされている。下段用突出片７５は、各下段用外側係止片７３における下段用内側係止片７９側の１／２の先端域から一端に向かって略直角に突出している。
【００５８】
各下段用傾斜片７７は、下段用突出片７５から下段用内側係止片７９に向かってほぼ１８０°湾曲しながら突出する半円筒形状とされている。下段用傾斜片７７の下段用内側係止片７９側の半円筒面は、図５に示す上段用傾斜片６９と同様、本体片６３に近づくに従って下段用内側係止片７９に向かって延びる傾斜面７７ａとされている。このため、傾斜面７７ａも型枠３０のフランジ３３を案内しやすくなっているとともに、くさび穴３ｃ、３ｄにくさびを打ち込みやすくなっている。下段用突出片７５及び下段用傾斜片７７が下段型枠組４０の型枠３０用の弾性係止手段である。
【００５９】
各下段用内側係止片７９は、同じく本体片６３の幅方向の他端で本体片６３から略直角に垂下する平板形状とされている。下段用内側係止片７９は本体片６３の左右で二つ設けられている。両下段用内側係止片７９間には鉄筋を通すための凹部７９ａが設けられている。他の構成は実施例１と同様である。同様の構成については実施例１と同一の符号を付している。
【００６０】
このセパレータ６１も、図６に示すように、鋼板を打ち抜いたワークＷに対し、破線部分を屈曲することにより形成されている。こうして得られるセパレータ６１も表裏が逆でも使用できるようになっている。
【００６１】
このセパレータ６１も、実施例１と同様の作用効果を奏することができる。特に、このセパレータ６１では、傾斜面６９ａ、７７ａが湾曲した上段用傾斜片６９や下段用傾斜片７７によって形成されているため、型枠３０のフランジ３３を強固に案内することができる。
【００６２】
以上において、本発明を実施例１、２に即して説明したが、本発明は上記実施例１、２に制限されるものではなく、その趣旨を逸脱しない範囲で適宜変更して適用できることはいうまでもない。
【００６３】
例えば、弾性係止手段は上段用外側係止片及び前記下段用外側係止片の少なくとも一方に設けられればよい。また、弾性係止手段としては、本体片３と一体のものに限られず、種々のものを採用することができる。さらに、上段用突出片７、６７、上段用傾斜片９、下段用突出片１５、７５又は下段用傾斜片１７の屈曲は厳格な直角に限定されない。また、傾斜面９ａ、６９ａ、１７ａ、７７ａは直線状に傾斜しているものに限られず、湾曲していてもよい。
【産業上の利用可能性】
【００６４】
本発明は、例えば住宅等のコンクリート基礎に利用可能である。
【符号の説明】
【００６５】
３０…型枠
４０…下段型枠組
５０…上段型枠組
１、６１…段積み用セパレータ
３１ａ…堰止面
３１…堰板部
３３ａ…被載置面
３３…フランジ
３ａ、３ｂ…載置面
３、６３…本体片
５、６５…上段用外側係止片
１１、７１…上段用内側係止片
１３、７３…下段用外側係止片
１９、７９…下段用内側係止片
７、９、１５、１７、６７、６９、７５、７７…弾性係止手段
７、６７…上段用突出片
９、６９…上段用傾斜片
１５、７５…下段用突出片
１７、７７…下段用傾斜片
【図１】
2014101633.tif 000003
【図２】
2014101633.tif 000004
【図３】
2014101633.tif 000005
【図４】
2014101633.tif 000006
【図５】
2014101633.tif 000007
【図６】
2014101633.tif 000008